(57)【要約】【課題】作業対象物が自立困難な形状であっても、作業対象物を作業時の姿勢で固定する。【解決手段】作業対象物（３３）に着脱自在に取り付けられる取付部（４１）と、先端が同一平面上にある複数の接地部（４２）とを備える固定治具（４）であって、取付部（４１）に設けられる挿通孔（４１ａ）及び作業対象物（３３）に設けられる挿通孔（３３ａ）に連結具（４３ａ）を挿通させることにより、固定治具（４）を作業対象物（３３）に取り付ける。【選択図】図６
2020125649.tif 000002
【特許請求の範囲】
【請求項１】
作業対象物の姿勢を固定して支持する固定治具であって、
前記作業対象物に着脱自在に取り付けられる取付部と、
先端が同一平面上にある複数の接地部と、
を有することを特徴とする固定治具。
【請求項２】
前記作業対象物は、管材と、該管材に設けられたベースプレートと、を備えており、
前記取付部は、前記管材と前記ベースプレートの少なくとも一方に着脱自在に取り付けられることを特徴とする請求項１に記載の固定治具。
【請求項３】
前記取付部は、該取付部と一体又は別個の連結具により前記ベースプレートに取り付けられることを特徴とする請求項２に記載の固定治具。
【請求項４】
前記ベースプレート及び前記取付部は、前記連結具が挿通される孔を有していることを特徴とする請求項２又は３に記載の固定治具。
【請求項５】
前記接地部は、前記取付部が前記ベースプレートに取り付けられた状態において、前記ベースプレートの外縁よりも該ベースプレート外側に突出していることを特徴とする請求項２から４までのいずれか一項に記載の固定治具。
【請求項６】
前記複数の接地部間に、一部が切り欠かれた切欠を有することを特徴とする請求項２から５までのいずれか一項に記載の固定治具。
【請求項７】
前記切欠は、円弧状に形成されていることを特徴とする請求項６に記載の固定治具。
【請求項８】
請求項１から７までのいずれか一項に記載の固定治具を用いた作業対象物の固定方法であって、
前記作業対象物に前記固定治具の前記取付部を取り付ける工程と、
前記複数の接地部を全て接地させて前記作業対象物の姿勢を固定する工程と、
を有することを特徴とする作業対象物の固定方法。
【発明の詳細な説明】
【技術分野】
【０００１】
本発明は、作業対象物の姿勢を固定する固定治具及び作業対象物の固定方法に関する。
【背景技術】
【０００２】
山間部等の河川においては、台風や大雨による土砂災害を防止するため、堰堤が設置される。堰堤は、水を通過させつつも土石流に含まれる岩石や流木が通過することを抑えるものであり、その壁部にて土石流の勢いを弱めるとともに、岩石や流木を堰き止める働きをしている。近年では、水の通過を遮ることなく、岩石や流木だけを捕捉するため、堰堤の一部にスリットを形成し、このスリットとして鋼管等で柵状に構築された捕捉体を設けた、いわゆる透過型堰堤が構築されている（例えば、特許文献１参照）。
【０００３】
透過型堰堤としては、複数の鋼管フレーム部材を河川横断方向に対して間隔をあけて設置してなる鋼製スリットダムが一般に知られている。
鋼管フレーム部材は、複数の円筒状の鋼管部材からなり、これら部材を溶接等によって接合することで構成されている。具体的には、長尺の鋼管部材に対して短尺の鋼管部材を枝状に接合する。このような鋼管部材同士の接合は、現場での施工性等を考慮し、できるだけ予め工場等で行われることが一般的である。鋼管部材の接合を行う場合には、通常、長尺の鋼管部材を横置きにした状態で短尺の鋼管部材を上方から取り付ける。
【先行技術文献】
【特許文献】
【０００４】
【特許文献１】特開２０１７−１０１５０２号公報
【発明の概要】
【発明が解決しようとする課題】
【０００５】
上記のように、鋼管部材のような作業対象物の上方に他の作業対象物が接合されると、作業対象物全体の重心位置が接合前と比較して上方へと移動する。特に、作業対象物が円筒状に形成されている場合には、この重心移動により作業対象物が自立した姿勢を維持できなくなる。その結果、作業対象物が軸周りに回転あるいは転倒するなどして接合等の作業に支障をきたすおそれがあった。
【０００６】
そこで、本発明は、上記課題に鑑みてなされたものであり、作業対象物が自立困難な形状であっても、作業対象物を作業時の姿勢で固定することができる固定治具を提供することを目的とする。
【課題を解決するための手段】
【０００７】
上記課題を解決するため、本発明に係る一態様は、作業対象物の姿勢を固定して支持する固定治具であって、前記作業対象物に着脱自在に取り付けられる取付部と、先端が同一平面上にある複数の接地部とを有する。
【０００８】
また、前記作業対象物は、管材と、該管材に設けられたベースプレートと、を備えており、前記取付部は、前記管材と前記ベースプレートの少なくとも一方に着脱自在に取り付けられることが好ましい。
【０００９】
また、前記取付部は、該取付部と一体又は別個の連結具により前記ベースプレートに取り付けられることが好ましい。
【００１０】
また、前記ベースプレート及び前記取付部は、前記連結具が挿通される孔を有していることが好ましい。
【００１１】
また、前記接地部は、前記取付部が前記ベースプレートに取り付けられた状態において、前記ベースプレートの外縁よりも該ベースプレート外側に突出していることが好ましい。
【００１２】
また、前記複数の接地部間に、一部が切り欠かれた切欠を有することが好ましい。
【００１３】
また、前記切欠は、円弧状に形成されていることが好ましい。
【００１４】
また、本発明に係る他の態様は、上記固定治具を用いた作業対象物の固定方法であって、前記作業対象物に前記固定治具の前記取付部を取り付ける工程と、前記複数の接地部を全て接地させて前記作業対象物の姿勢を固定する工程とを有する。
【発明の効果】
【００１５】
本発明に係る態様によれば、作業対象物の姿勢を安定的に固定することができる。
【図面の簡単な説明】
【００１６】
【図１】透過型堰堤の斜視図である。
【図２】捕捉体を構成する本体部と枝部を接合した接合体の斜視図である。
【図３】本体部に対して枝部を接合する状態を表す側面図である。
【図４】固定治具を取り付けた接合体の斜視図である。
【図５】固定治具の正面図である。
【図６】固定治具をベースプレートに取り付ける状態を表す斜視図である。
【図７】（ａ）変形例に係るベースプレートに固定治具を取り付けた状態を表す図であり、（ｂ）変形例に係るベースプレートに固定治具を取り付けた状態を表す図であり、（ｃ）変形例に係るベースプレートに固定治具を取り付けた状態を表す図である。
【図８】変形例に係る固定治具を本体部に取り付ける状態を表す側面図である。
【図９】変形例に係る固定治具を本体部に取り付けた状態を表す断面図である。
【発明を実施するための形態】
【００１７】
本発明の好ましい実施の形態について、図面を参照しながら説明する。なお、以下に示す実施の形態は一つの例示であり、本発明の範囲において、種々の形態をとり得る。
【００１８】
＜堰堤の構成＞
最初に、製造時に固定治具が用いられる捕捉体を備えた堰堤について説明する。
図１に示すように、堰堤１は、その基礎部が地盤に埋設されており、河川を横切るように河川の幅方向に沿って延在するように構築される。堰堤１は、例えば、コンクリート又はソイルセメントによって構築される。
堰堤１は一般に透過型堰堤として知られるものであり、河川の上流から流れてくる流水を通す透過部２と、透過部２に設けられて流水を通すとともに土石及び流木を捕捉する捕捉体３とを備える。
【００１９】
図１に示すように、捕捉体３は、河川上流側に立設される上流側支柱３１と下流側に立設される下流側支柱３２とを有する。下流側支柱３２は、上流側支柱３１に対して交差するように接合されている。具体的には、下流側支柱３２の一端部は、上流側支柱３１の長手方向の中程において、上流側支柱３１に溶接によって接合されている。
【００２０】
上流側支柱３１及び下流側支柱３２の下端側には、フランジ状のベースプレート３３が溶接等によって接合されている。各支柱３１，３２の下端部は、ベースプレート３３とともに堰堤１の基礎部に連結される。
以下に各構成の詳細について説明するが、便宜上、上流側支柱３１を本体部３１、下流側支柱３２を枝部３２として説明する。
【００２１】
図２に示すように、本体部３１は、例えば、円筒状に形成された鋼管である。本体部３１は、一端部（捕捉体３として設置した際の下端部）が横断面方向に対して交差する端面を有するように、当該横断面に対して傾斜した端面を有している。本体部３１には、その両端部近傍の側面に吊りピース３１０が溶接によって一つずつ接合されている。吊りピース３１０は、吊り金具等を掛けるための挿通孔３１０ａを有する。ここで、吊りピース３１０は、各端部に一つずつ設けられている場合に限られない。二つの吊りピース３１０は、円筒状に形成された本体部３１の軸線方向に沿って並んで配置されている。
【００２２】
図２に示すように、枝部３２は、例えば、円筒状に形成された鋼管である。枝部３２は、その軸線が本体部３１の軸線に交差するように、溶接によって接合されている。枝部３２は、その一端部が本体部３１に接合されており、他端部が本体部３１の一端部側（捕捉体３として設置した際の下端部側）に向けて延びている。
【００２３】
図２に示すように、ベースプレート３３は、横断面に対して傾斜した端面を有する本体部３１の一端部に設けられている。ベースプレート３３は、本体部３１の外径よりも大きな外径を有する円形状の板材から形成されている。ベースプレート３３は、その中心が本体部３１の軸線上にほぼ位置するように配置され、本体部３１に溶接によって接合されている。ベースプレート３３には、その外周側に沿って複数の挿通孔３３ａが形成されている。この挿通孔３３ａを介して本体部３１は、堰堤１の基礎部に連結され、固定される。
【００２４】
図３に示すように、本体部３１と枝部３２との接合は、本体部３１を横置きにした状態で行われる。具体的には、本体部３１に対して枝部３２を上方から下ろして位置決めした後、溶接等で接合する。
【００２５】
本体部３１と枝部３２とを接合した接合体は、その重心が本体部３１単体の重心よりも上方に位置する。この接合体は、支持する本体部３１が円筒形状を有するため、自立が不安定な姿勢をとる。その結果、接合体が本体部３１の軸周りに回転・転倒するおそれがある。
【００２６】
以上のように、堰堤１の捕捉体３を製造するにあたって、本体部３１に枝部３２を接合する際に、本体部３１の回転を防止して姿勢を安定させるため、固定治具４が用いられる。
【００２７】
＜固定治具＞
次に、固定治具の実施の形態について説明する。
図４、図５に示すように、固定治具４は、略矩形状の鋼板から形成されており、本体部３１に枝部３２を接合する際に、ベースプレート３３に取り付けられる。固定治具４は、ベースプレート３３に着脱自在に取り付けられる取付部４１と、ベースプレート３３に取り付けられた状態で接地する接地部４２を有する。
【００２８】
（取付部）
図５に示すように、取付部４１は、固定治具４の上端側（ベースプレート３３に取り付けられた際における上端側）に位置し、円形状に形成された２つの挿通孔４１ａを有する。挿通孔４１ａは、ベースプレート３３の挿通孔３３ａの位置に対応するように配置されており、後述する連結具（ボルト）を挿通するために用いられる。すなわち、挿通孔４１ａの間隔は、固定治具４が取り付けられるベースプレート３３の２つの挿通孔３３ａの間隔と等しくなるように形成されている。
【００２９】
（接地部）
図５に示すように、接地部４２は、固定治具４の下端側（ベースプレート３３に取り付けられた際における下端側）に位置し、長手方向（ベースプレート３３に取り付けられた際における左右方向）の両側に一対の脚部４２ａを有する。固定治具４は、ベースプレート３３に取り付けられた状態において、少なくとも脚部４２ａがベースプレート３３の外縁よりも外側に突出する。このような構成にすることにより、ベースプレート３３の接地を回避し、本体部３１を安定した姿勢で固定することができる。また、一対の脚部４２ａは、その先端が同一平面上に位置する。すなわち、固定治具４をベースプレート３３に取り付けた状態において、本体部３１のベースプレート３３側とは反対側の端部に設けられる吊りピース３１０とともに全ての脚部４２ａの先端が接地する。
【００３０】
一対の脚部４２ａの間には、円弧状の切欠４２ｂが形成されている。切欠４２ｂは、主として固定治具４の軽量化を目的として形成されているが、本体部３１を安定した姿勢で固定できるよう、本体部３１、枝部３２及びベースプレート３３の総重量を支持するのに十分な強度を有するように設計されている。切欠４２ｂの形状は円弧状に限られず、矩形状などあらゆる態様が適用できる。
固定治具４の角部は、面取り加工、角落とし加工が施されており、軽量化を図るとともに作業者が鋭利な角部に接触して負傷しないように工夫が施されている。
【００３１】
＜固定治具の取付＞
図６に示すように、固定治具４の取付部４１は、連結具４３を用いてベースプレート３３に取り付けられる。連結具４３は、例えば、ボルト４３ａとナット４３ｂとを有する。取付部４１の挿通孔４１ａとベースプレート３３の挿通孔３３ａの位置を合わせた状態でボルト４３ａを両挿通孔４１ａ，３３ａに挿通する。その後、ベースプレート３３の反対側からナット４３ｂをボルト４３ａに締結することにより、固定治具４がベースプレート３３に取り付けられる。
【００３２】
固定治具４がベースプレート４２に取り付けられた状態において、脚部４２ａが接地し、本体部３１の一端側が支持されている。本体部３１の他端側は、本体部３１に設けられている吊りピース３１０が接地することにより支持されている。よって、本体部３１は、接地部４２の一対の脚部４２ａと吊りピース３１０の３点支持により、安定した姿勢が保たれた状態で固定されている。
【００３３】
以上のように、固定治具４を作業対象物であるベースプレート３３に取り付けることにより、本体部３１が安定した状態で支持される。その結果、本体部３１に枝部３２を溶接により接合する等の作業時において、本体部３１が自立困難な形状になった場合であっても本体部３１を溶接作業が行いやすい安定した姿勢で保持、固定することができる。
固定治具４は、ベースプレート３３に予め形成される挿通孔３３ａを利用して取り付けるので、特別な加工を必要とせず容易に固定治具４をベースプレート３３に固定することができる。
また、固定治具４は、ベースプレート３３に対して着脱自在に取り付けられるので、溶接作業終了後には容易に本来の状態に戻すことができる。
【００３４】
＜その他＞
なお、本発明は、上記の実施の形態に限られるものではない。
例えば、図７（ａ）に示すように、固定治具４ａは、一対の脚部４２ａの間が脚部４２ａと同一面を形成することにより、上記切欠４２ｂがない形状であってもよい。
例えば、図７（ｂ）に示すように、固定治具４ｂは、ベースプレート３３に設けられる４つの挿通孔３３ａに対応する挿通孔４１ａが形成された取付部４１を有していてもよい。
例えば、図７（ｃ）に示すように、固定治具４ｃは、ベースプレート３３に設けられる１つの挿通孔３３ａに対応する１つの挿通孔４１ａが形成された取付部４１を有し、各挿通孔３３ａにそれぞれ別個の固定治具４を使用して本体部３１を安定した姿勢で固定してもよい。
【００３５】
また、図８及び図９に示すような固定治具であってもよい。
固定治具５は、本体部３１に設けられる吊りピース３１０に取り付けられる。本体部３１及び吊りピース３１０の構成については、上記と同じであるため、説明を省略する。
【００３６】
固定治具５は、横断面が略Ｈ形状に形成されている。固定治具５は、鉛直方向に立設する一対の立設部５１と、立設部５１間に設けられ、両立設部５１間を連結する連結部５２とを有する。さらに、固定治具５は、連結部５２から立設部５１の延在方向に沿って延在する取付部５３と、立設部５１の下端側に設けられる接地部５４とを有する。
取付部５３は、円形状に形成された挿通孔５３ａを有する。挿通孔５３ａは、本体部３１を固定治具５に載置した際に、吊りピース３１０の挿通孔３１０ａの位置に対向する位置に形成されており、後述する連結具（ボルト）を挿通するために用いられる。なお、取付部５３は、固定治具５と一体に形成された例を説明したが、固定治具５と別体、すなわち分割部材として形成されたものであってもよい。例えば、取付部５３を分割部材として連結部５２上に取り付ける構成であれば、本体部３１の吊りピース３１０の位置や大きさによって、取付部５３の取り付け位置を適宜調整することができる。
接地部５４は、一対の立設部５１のそれぞれの下端側に設けられ、その先端が同一平面上に位置する。
【００３７】
固定治具５の取付部５３は、連結具（ボルト及びナット）５５を用いて本体部３１の吊りピース３１０に取り付けられる。連結具５５の構成や連結具５５を用いた固定治具５の取付手法は上記の実施の形態と同様である。
固定治具５が取り付けられた本体部３１は、立設部５１の上端に接触した状態で固定治具５上に載置され、安定した姿勢で固定される。
【００３８】
なお、上記実施の形態においては、固定治具をベースプレートまたは本体部に対して取り付ける例について説明したが、これに限られない。例えば、固定治具は、ベースプレートと本体部の双方に取り付けることもできる。
また、上記実施の形態においては、固定治具を本体部に取り付ける際に使用する連結具を固定治具と別個に設けた例について説明したが、これに限られない。例えば、固定治具と連結具とが一体に形成されていてもよい。
また、上記実施の形態においては、堰堤の捕捉体（支柱）に用いる管材（円筒状の鋼管）を作業対象物とする例について説明したが、これに限られない。例えば、固定治具は、種々の用途に使用される作業対象物に対して適用することができる。
また、本体部は、３点支持に限らず、４点以上で支持してもよい。
【符号の説明】
【００３９】
１  堰堤
２  透過部
３  捕捉体
３１  本体部（上流側支柱）
３１０  吊りピース
３１０ａ  挿通孔
３２  枝部（下流側支柱）
３３  ベースプレート
４，４ａ，４ｂ，４ｃ  固定治具
４１  取付部
４１ａ  挿通孔
４２  接地部
４２ａ  脚部
４２ｂ  切欠
４３  連結具
５  固定治具
５１  立設部
５２  連結部
５３  取付部
５３ａ  挿通孔
５４  接地部
５５  連結具
【図１】
2020125649.tif 000003
【図２】
2020125649.tif 000004
【図３】
2020125649.tif 000005
【図４】
2020125649.tif 000006
【図５】
2020125649.tif 000007
【図６】
2020125649.tif 000008
【図７】
2020125649.tif 000009
【図８】
2020125649.tif 000010
【図９】
2020125649.tif 000011